(57)【特許請求の範囲】
【請求項１】
結束位置に搬入された所定の枚数の紙幣からなる紙幣束の搬入方向の前端部を押圧する押圧部を有するクランパと、
前記クランパの押圧部に対向配置され、前記紙幣束の前端部を支持すると共に、昇降可能に構成された可動支持板と、
前記クランパに対向配置され、前記紙幣束の後端部を支持する固定支持板とを備え、
下降させた前記可動支持板上の前記紙幣束の前端部を前記クランパの押圧部で押圧した状態で、前記紙幣束を紙帯により結束し、
前記紙幣束の結束後における前記押圧部による押圧の解除時に、前記可動支持板を、前記固定支持板と面一になる位置まで上昇させることを特徴とする紙幣整理装置。
【請求項２】
請求項１において、
前記クランパの押圧部に、前記結束後の紙帯に所定事項を押印する押印機構を設け、
前記紙幣束の結束後に、前記可動支持板と前記固定支持板とを面一にした状態で、前記押印機構により前記所定事項を押印することを特徴とする紙幣整理装置。
【請求項３】
請求項１において、
前記固定支持板を、前記紙帯の前記搬入方向の直交方向である幅方向の両側に配置し、
前記可動支持板を、それぞれの前記固定支持板の前記紙帯の反対側の端面間の長さと同等の幅に形成したことを特徴とする紙幣整理装置。
【請求項４】
請求項１において、
前記結束後の紙幣束の放出方向への搬送時に、前記可動支持板を、前記固定支持板より前記クランパ側に持上げることを特徴とする紙幣整理装置。
【請求項５】
請求項１において、
前記結束後の紙幣束の放出方向への搬送時に、前記可動支持板の前記搬入方向の前端を、前記固定支持板より前記クランパ側に持上げることを特徴とする紙幣整理装置。
【請求項６】
請求項１において、
前記可動支持板と前記固定支持板とを、弾性部材で接続したことを特徴とする紙幣整理装置。
【発明の詳細な説明】
【技術分野】
【０００１】
本発明は、銀行や郵便局等の金融機関や大型ディスカウント店等の流通業の店舗等に設置され、所定の枚数の紙幣を紙帯で結束して小束を形成する紙幣整理装置に関する。
【背景技術】
【０００２】
従来の紙幣整理装置は、その紙幣施封部の結束位置への紙幣束の搬入時に、紙帯を紙幣束の半周に亘って巻付け、結束位置に搬入された紙幣束をクランパの押圧部で押圧して押下げた状態で、紙帯にテンションをかけながら紙幣束に巻付けて結束し、結束後にクランパを上昇させ、紙幣束が開放された時点での結束がより強固なものとなるようにしている（例えば、特許文献１参照。）。
【先行技術文献】
【特許文献】
【０００３】
【特許文献１】特開２００２−３２１７０６号公報（段落０００３、００１６−００２０、第１図、第３図）
【発明の概要】
【発明が解決しようとする課題】
【０００４】
しかしながら、上記した特許文献１の技術においては、紙幣束をクランパの押圧部で押圧するときの紙幣束の下面を支持する部材については触れられていないので、仮に、このまま結束すれば、紙幣束の下面側の紙幣が垂れ下がっていると、紙帯を巻付けるときに下面側の紙幣の搬入方向の前端が折れ曲がって結束されてしまうことが懸念される。
【０００５】
このため、一般的には、搬入時に紙幣束の下面を支持する支持板等が用いられており、その一般的な紙幣施封部の構成および結束動作は以下に説明するようになっている。
【０００６】
図９は一般的な紙幣施封部の小束形成機構の断面を示す説明図、図１０は支持板の上面を示す説明図である。なお、図９は図１０に示す紙帯の長手方向に沿った中心線で切断した断面で示してある。
【０００７】
図９において、１は紙幣整理装置の紙幣施封部に設けられた小束形成機構であり、図示しない受取部で受け取られた所定の枚数（本説明では、１００枚）の紙幣からなる紙幣束Ｔを、上下一対の搬送ベルト２により束のまま搬入して、紙帯３により結束して小束を形成する部位である。
【０００８】
紙帯３は、紙テープ等の紙幣束Ｔを結束するための帯状部材であって、図示しない紙帯リール部にロール状に巻かれた状態で収容されている。
【０００９】
なお、本説明における紙幣束Ｔは、その短手方向を搬送方向とし、その長手方向の中央部を一対の搬送ベルト２により挟持されて搬送される（図１０参照）。
【００１０】
４はクランパであり、搬送ベルト２に挟持されて、結束位置（図９に示す、紙帯３により紙幣束Ｔを結束するときの停止位置をいう。）に停止した紙幣束Ｔの、長手方向の一方の端部に設定された所定の紙帯位置（図１０に示す紙帯３の位置をいう。）の上方に配置され（図１０参照）、図示しない支持アーム等によって昇降可能に支持されており、その結束位置に停止した紙幣束Ｔの搬入方向（上記搬送方向と同方向）の前端部（単に、前端部という。）には、その紙幣束Ｔ側の面を底面５から突出させた押圧部６が形成されている。
【００１１】
７は支持板であり、クランパ４の押圧部６と底面５とで形成されるＺ字状に曲折した形状に倣うように曲折成形されて、結束位置に停止した紙幣束Ｔのクランパ４の反対側に対向配置された板状部材であって、紙幣束Ｔの前端部の下面を支持する前端支持部８と、後端部の下面を支持する後端支持部９とが設けられている。
【００１２】
また、支持板７は、図１０に示すように、所定の紙帯位置にある紙帯３の搬入方向の直交方向（紙帯３の幅方向という。）の両側に平行に配置された支持板７ａ、７ｂにより構成されて、紙幣施封部の図示しないフレーム等に固定されており、その搬入方向の上流側（図９、図１０において右側をいう。）は、一対の搬送ベルト２により搬送される紙幣束Ｔの搬送ガイドとして機能する。
【００１３】
１１は押印機構であり、印部１１ａを押圧部６の下面から出没させるソレノイド等の駆動源を備え、常時は印部１１ａの下面を押圧部６の下面から引込んだ状態でクランパ４の前端部に形成された押圧部６に内蔵されており、結束後の紙幣束Ｔの紙帯３上の所定の部位に客先名等の所定事項を押印する機能を有している。
【００１４】
１２は第１の紙帯曲折爪であり、クランパ４の搬入方向の上流側の面に取付られており、クランパ４の昇降に伴って昇降し、下降時に、結束位置の紙幣束Ｔの上流側の側面に沿って紙帯３を下方に折曲げる機能を有している。
【００１５】
１３は第２の紙帯曲折爪であり、支持板７の後端支持部９の搬入方向の上流側に配置され、図示しない移動機構により搬入方向に往復移動可能に構成されており、搬入方向の下流側への移動時に、結束位置の紙幣束Ｔの下面に沿って紙帯３を下流側に折曲げる機能を有している。
【００１６】
１５はテープキャッチの把持部であり、クランパ４の搬入方向の上流側の上方に移動可能に構成された一対の対向する把持爪１５ａ、１５ｂを有しており、把持爪１５ａと１５ｂとの間に、紙帯３の先端を結束時に紙幣束Ｔの側になるように折り返したの折返し部３ａ（図１１(ａ)等参照）を把持する機能を有している。
【００１７】
本説明における結束機構は、上記第１および第２の紙帯曲折爪１２、１３、テープキャッチの把持部１５、一対の搬送ベルト２等により構成される。
【００１８】
上記の構成を備えた一般的な紙幣施封部の結束動作について、図１１、図１２を用いて説明する。
【００１９】
紙幣束Ｔが小束形成機構１に搬入される前は、図１１(ａ)に示すように、クランパ４を上昇させて、その押圧部６の下面と、支持板７の後端支持部９の上面との間を紙幣束Ｔの厚さより広くなるように離間させた原位置に位置させ、図示しない紙帯リール部から、図示しないフィードローラや紙帯ガイドにより搬送されてきた紙帯３の先端に形成された折返し部３ａをテープキャッチの把持部１５で把持し、クランパ４の搬入方向の上流側で上方に引き上げて、結束位置に搬入される紙幣束Ｔの搬入を遮るように配置された状態になっている。
【００２０】
そして、図示しない受取部で長手方向と短手方向を整位された紙幣束Ｔが受け取られ、その紙幣束Ｔが束のまま一対の搬送ベルト２（図示省略）により小束形成機構１へ搬送されてくると、把持部１５により結束位置への搬入を遮るように把持されている紙帯３が、クランパ４と支持板７との間に搬入される紙幣束Ｔの搬送ベルト２による搬送力によって、図１１(ｂ)に示すように、紙帯３が紙幣束Ｔのおよそ半周に亘って巻き付けられ、一対の搬送ベルト２に挟持された状態で結束位置に停止する。
【００２１】
紙幣束Ｔが結束位置に停止すると、図１１(ｃ)に示すように、クランパ４と第１の紙帯曲折爪１２を下降させ、その下降の間で把持部１５による折返し部３ａの把持を解除し、第１の紙帯曲折爪１２によって紙幣束Ｔの側面の搬入方向上流側に延在する紙帯３を側面に沿って下方に折り曲げると共に、クランパ４の押圧部６によって紙幣束Ｔの前端部を押下げて、押圧部６と前端支持部８との間および底面５と後端支持部９との間に紙幣束ＴをＺ字状に曲折させて保持する。
【００２２】
クランパ４と支持板７との間にＺ字状に曲折させた紙幣束Ｔを保持すると、図１２(ａ)に示すように、第２の紙帯曲折爪１３が図示しない移動機構によって紙幣束Ｔの下面に沿って支持板７ａ、７ｂの間を搬入方向下流側へ移動して、紙帯３を紙幣束Ｔの下面に沿って折り曲げる。
【００２３】
紙帯３を紙幣束Ｔの下面に沿って折り曲げた後に、図１２(ｂ)に示すように、第２の紙帯曲折爪１３を停止させたまま図示しないフィードローラによって余分な紙帯３を巻き戻して紙帯３にテンションを付与した状態にし、紙帯３が紙幣束Ｔのほぼ全周に巻き付けられると、紙帯３の折返し部３ａの反対側が図示しないカッタ等の切断手段により切断され、その端部（後尾部という。）を紙幣束Ｔの下面に折り曲げられた折返し部３ａの外側に重ね合わせ、その重なり部に図示しない接着手段としての押圧コテ等の加熱部を押し付け、紙帯３の両端を接着して紙幣束Ｔを紙帯３で結束する。
【００２４】
紙幣束Ｔの結束後に、図１２(ｃ)に示すように、第２の紙帯曲折爪１３を移動機構によって搬入方向上流側へ退避させ、クランパ４を原位置へ上昇させて押圧部６による押圧を解除する。
【００２５】
このとき、紙幣束Ｔの弾性による復元力によって、紙幣束ＴがＺ字状に曲折した状態から結束位置に搬入されたときの元の状態に戻り、Ｚ字状に曲折させたときの紙幣束Ｔの外周の長さと、結束した紙帯３の長さとの差によって適正な紙帯締付力（施封力という。）が発生して結束が強固なものになると共に、その把姿（紙帯３により結束された紙幣束Ｔの外観形状をいう。）が元の状態に復元する。
【００２６】
そして、押印機構１１の印部１１ａを原位置にあるクランパ４の下面から突出させて、一対の搬送ベルト２に挟持された状態で結束位置に停止している、結束後の紙幣束Ｔの紙帯３上の所定の部位に所定事項を押印して小束を形成し、その小束を放出方向に搬送して紙幣施封部の外部へ放出する。
【００２７】
このようにして、一般的な構成の紙幣施封部による紙幣束Ｔの結束動作が行われる。
【００２８】
上記した一般的な構成の紙幣施封部の結束動作においては、紙幣束Ｔの結束後に、クランパ４を上昇させて押圧部６による押圧を解除し、紙幣束Ｔの復元力によって、紙幣束ＴをＺ字状に曲折させた状態から元の状態に戻して、適正な施封力を発生させているため、復元力が強いコシの強い紙幣による紙幣束Ｔの場合は、問題が生ずることはない。
【００２９】
しかしながら、使用等によってシワ等が形成されたコシの弱い紙幣による紙幣束Ｔの場合は、図１３(ａ)に示すように、クランパ４を上昇させて押圧部６による押圧を解除したときに、紙幣束Ｔの復元力が弱いために紙幣束Ｔが十分に復元しきらず、結束後の紙幣束Ｔの把姿がＺ字状の曲折が残った、歪んだ状態になり、十分な施封力が得られないという問題がある。
【００３０】
また、図１３(ｂ)に示すように、紙幣束Ｔが復元しきらず、十分な施封力が得られない状態で押印機構１１により紙帯３上に所定事項を押印すると、紙帯３の下方の紙幣束Ｔとの間の隙間や、歪みによる紙帯３の傾斜、結束後の紙帯３による施封力の不足等によって、押印時の印影に欠損が生ずるという問題がある。
【００３１】
更に、図１３(ｃ)に示すように、結束後の紙帯３の施封力不足等によって、把持部１５に保持された紙帯３の先端の折返し部３ａが、紙帯３の弾性により接着部における紙帯３の後尾部側に、つまり紙幣束Ｔの外側に膨らんでしまうという問題が生ずる。
【００３２】
上記した各問題点が生じたままの把姿で小束が紙幣施封部の外部に放出されてしまうと、小束の見栄え品質が低下し、その程度によっては、結束のやり直しが生じ紙幣束Ｔの結束作業における作業効率が低下するという問題が生ずる。
【００３３】
これらの問題点は、いずれも復元力が弱い紙幣束Ｔが、結束後に歪んだ把姿になることに起因するものであり、本発明は、復元力が弱い紙幣束Ｔであっても、結束後の紙幣束Ｔの把姿を元の状態に復元する手段を提供することを目的とする。
【課題を解決するための手段】
【００３４】
本発明は、上記課題を解決するために、結束位置に搬入された所定の枚数の紙幣からなる紙幣束の搬入方向の前端部を押圧する押圧部を有するクランパと、前記クランパの押圧部に対向配置され、前記紙幣束の前端部を支持すると共に昇降可能に構成された可動支持板と、前記クランパに対向配置され、前記紙幣束の後端部を支持する固定支持板とを備え、下降させた前記可動支持板上の前記紙幣束の前端部を前記クランパの押圧部で押圧した状態で、前記紙幣束を紙帯により結束し、前記紙幣束の結束後における前記押圧部による押圧の解除時に、前記可動支持板を、前記固定支持板と面一になる位置まで上昇させることを特徴とする。
【発明の効果】
【００３５】
これにより、本発明は、復元力が弱い紙幣束Ｔの場合においても、紙幣束Ｔの復元力に加えて、紙幣束Ｔの前端部に可動支持板による上方への押戻し力を付与することができ、歪みのない把姿の小束を形成することができると同時に、結束後の紙帯への押印時における印影の欠損の防止や、紙帯の接着部に生じる外側への膨らみの抑制を行うことができるという効果が得られる。
【図面の簡単な説明】
【００３６】
【図１】実施例１の紙幣整理装置の概略構成を示す説明図
【図２】実施例１の紙幣施封部の小束形成機構の断面を示す説明図
【図３】実施例１の支持板の上面を示す説明図
【図４】実施例１の小束形成機構における結束動作を示す説明図
【図５】実施例１の小束形成機構における結束動作を示す説明図
【図６】実施例２の紙幣施封部の小束形成機構の断面を示す説明図
【図７】実施例２の支持板の上面を示す説明図
【図８】実施例２の小束形成機構における結束動作を示す説明図
【図９】一般的な紙幣施封部の小束形成機構の断面を示す説明図
【図１０】一般的な紙幣施封部の支持板の上面を示す説明図
【図１１】一般的な紙幣施封部の小束形成機構における結束動作を示す説明図
【図１２】一般的な紙幣施封部の小束形成機構における結束動作を示す説明図
【図１３】一般的な紙幣施封部の結束動作における課題を示す説明図
【発明を実施するための形態】
【００３７】
以下に、図面を参照して本発明による紙幣整理装置の実施例について説明する。
【実施例１】
【００３８】
以下に、図１ないし図５を用いて本実施例の紙幣整理装置および紙幣施封部について説明する。なお、上記した一般的な紙幣施封部と同様の部分は、同一の符号を付してその説明を省略する。
【００３９】
図１において、２１は紙幣整理装置である。
【００４０】
２２は投入部であり、装置正面の上部に設けられており、計数する紙幣や、小束に結束する紙幣を投入する部位である。
【００４１】
２３は鑑別部であり、搬送された紙幣の真偽、金種、正損、表裏等の鑑別、及び計数を行うと共に重送等の搬送異常の検出を行う機能を有しており、装置内に設けられている。
【００４２】
２４は搬送路であり、装置内の各部に紙幣を搬送する。
【００４３】
２５は表裏反転部であり、装置内の鑑別部２３の搬送路２４の下流側に配置されており、鑑別部２３での表裏の鑑別結果に基づいて、紙幣の表裏反転を行う機能を有している。
【００４４】
２６ａ、２６ｂはオープンポケットであり、装置の上面に設けられており、結束対象外の金種の紙幣を集積する。このオープンポケット２６に集積された紙幣は操作者が直接取出すことがきるようになっている。
【００４５】
２７はリジェクトポケットであり、鑑別部２３で搬送異常が検出されたリジェクト紙幣を集積する。このリジェクトポケット２７に集積された紙幣は操作者が直接取出すことがきるようになっている。
【００４６】
２８は集積機構であり、縦１列に５つの一時集積部２８ａ〜２８ｅが並べて装置内に設けられており、これらの一時集積部２８ａ〜２８ｅには、それぞれ予め設定された所定の枚数（本実施例では、１００枚）の紙幣が集積できるようになっている。
【００４７】
また、一時集積部２８ａ〜２８ｅには、それぞれに集積した紙幣の短手方向および長手方向を整位する整位機構が設けられており、１枚の紙幣が集積される度に整位動作を行うようになっている。
【００４８】
２９は移送機構であり、一時集積部２８ａ〜２８ｅに集積された所定枚数の紙幣を、クランプ２９ａを前後動、上下動させて束のまま挟持して引き抜き、その紙幣束Ｔを紙幣施封部３０へ移送して、束のまま引渡すことができるようになっている。
【００４９】
紙幣施封部３０は、移送機構２９により移送された紙幣束Ｔを受け入れ、その紙幣束Ｔを小束形成機構１により紙帯３で結束して小束を形成することができるようになっている。
【００５０】
３１は放出口であり、紙幣施封部３０で紙幣束Ｔを結束し、所定事項を押印して形成した小束を放出するための開口である。
【００５１】
３２は操作表示部であり、装置上面のオープンポケット２６の後方に設けられ、ＬＣＤ等の表示画面とその表面に配置したタッチパネル等の入力手段によって構成されており、操作者は操作表示部３２を操作してモードの指定や、一時集積部２８ａ〜２８ｅに集積する紙幣の金種等の設定を行うようになっている。
【００５２】
また、操作表示部３２には鑑別部２３で鑑別された紙幣の金種や正損及び計数結果等も表示される。
【００５３】
３３は放熱ファンであり、装置内部を換気して、内部で発生した熱を排出する。
【００５４】
３４は制御部であり、図示しない記憶部に格納された処理プログラムにより、上記各部を制御して、紙幣の計数処理や、紙幣束Ｔの結束処理等を実行する機能を有している。
【００５５】
本実施例の紙幣施封部３０の小束形成機構１に設けられる支持板３７は、図２、図３に示すように、結束位置に停止した紙幣束Ｔのクランパ４の反対側に対向配置され、紙帯Ｔの搬入方向の前端部の下面を支持する可動支持板３８と、後端部の下面を支持する固定支持板３９とが設けられており、その可動支持板３８と固定支持板３９との間は、合成ゴム等の伸縮性を有する弾性部材４０で接続されている。
【００５６】
また、支持板３７の固定支持板３９は、図３に示すように、上記した後端支持部９と同様に、所定の紙帯位置にある紙帯３の幅方向の両側に平行に配置された固定支持板３９ａ、３９ｂにより構成されて、紙幣施封部３０の図示しないフレーム等に固定されており、その搬入方向の上流側は、一対の搬送ベルト２により搬送される紙幣束Ｔの搬送ガイドとして機能する。
【００５７】
本実施例の可動支持板３８は、図３に示すように、その幅Ｌ１が、それぞれの固定支持板３９ａ、３９ｂの外側の幅Ｌ２、つまり固定支持板３９ａ、３９ｂの紙帯３の反対側の端面間の長さと同等の幅となるように形成された１枚の板状部材であって、その下面の中心部には、昇降機構４１の昇降シャフト４１ａの先端が固定されて昇降可能に構成されており、可動支持板３８を下降させたときは、図２に２点鎖線で示すように、可動支持板３８、弾性部材４０、固定支持板３９の各上面が、クランパ４の押圧部６と底面５とで形成されるＺ字状に曲折した形状に倣う形状に曲折され、上昇させたときは、図２に示すように、その上面が固定支持板３９の上面と面一になる位置まで上昇する。
【００５８】
このように本実施例の支持板３７は、固定支持板３９ａ、３９ｂのそれぞれの搬入方向下流側の端面と、可動支持板３８の上流側の端面とが弾性部材４０で接続され、上面視で上流側に紙帯３の幅より広い幅の開放部４３が形成された門型になっている（図３参照）。
【００５９】
なお、本実施例の支持板３７は、常時は可動支持板３８を、固定支持板３９と面一になる位置まで上昇させた状態で停止しており、紙幣束Ｔの結束時に可動支持板３８が下降してＺ字状に曲折した形状になるよう駆動される。
【００６０】
上記の構成を備えた本実施例の紙幣整理装置２１による結束動作について、図４、図５を用いて説明する。
【００６１】
紙幣束Ｔが小束形成機構１に搬入される前は、図４(ａ)に示すように、支持板３７の可動支持板３８を固定支持板３９と面一になる位置とし、クランパ４を上昇させて、その押圧部６の下面と支持板３７の可動支持板３８および固定支持板３９の上面との間を紙幣束Ｔの厚さより広くなるように離間させた原位置に位置させ、上記一般的な場合（図１１(ａ)参照）と同様にして、紙帯３の先端に形成された折返し部３ａをテープキャッチの把持部１５で把持し、クランパ４の搬入方向の上流側で上方に引き上げて、結束位置に搬入される紙幣束Ｔの搬入を遮るように配置された状態になっている。
【００６２】
そして、紙幣整理装置２１の一時集積部２８のいずれか一つの一時集積部２８に所定枚数の紙幣が集積され、長手方向と短手方向を整位された紙幣束Ｔが移送機構２９により紙幣施封部３０に移送されると、その紙幣束Ｔは、図示しない受取部で受け取られ、その紙幣束Ｔが束のまま一対の搬送ベルト２（図示省略）により受取部から小束形成機構１へ搬送されてくると、把持部１５により結束位置への搬入を遮るように把持されている紙帯３が、クランパ４と支持板３７との間に搬入される紙幣束Ｔの搬送ベルト２による搬送力によって、図４(ｂ)に示すように、紙帯３が紙幣束Ｔのおよそ半周に亘って巻き付けられ、一対の搬送ベルト２に挟持された状態で結束位置に停止する。
【００６３】
この場合に、本実施例の支持板３７には、固定支持板３９ａ、３９ｂと弾性部材４０により、可動支持板３８の搬入方向上流側に開放部４３が形成されているので、紙帯３は可動支持板３８の上流側の端部から垂れ下がった状態になる。
【００６４】
紙幣束Ｔが結束位置に停止すると、図４(ｃ)に示すように、クランパ４と第１の紙帯曲折爪１２を下降させると共に昇降機構４１によって可動支持板３８を下降させ、それらの下降の間で把持部１５による折返し部３ａの把持を解除し、第１の紙帯曲折爪１２によって紙幣束Ｔの側面の搬入方向上流側に延在する紙帯３を側面に沿って下方に折り曲げると共に、クランパ４の押圧部６によって紙幣束Ｔの前端部を押下げて、押圧部６と可動支持板３８との間および底面５と固定支持板３９との間に紙幣束ＴをＺ字状に曲折させて保持する。
【００６５】
クランパ４と支持板３７との間にＺ字状に曲折させた紙幣束Ｔを保持すると、図５(ａ)に示すように、第２の紙帯曲折爪１３が図示しない移動機構によって紙幣束Ｔの下面に沿って開放部４３内を搬入方向下流側へ移動し、紙帯３を紙幣束Ｔの下面に沿って折り曲げる。
【００６６】
紙帯３を紙幣束Ｔの下面に沿って折り曲げた後に、図５(ｂ)に示すように、上記一般的な場合（図１２(ｂ)参照）と同様にして、紙帯３にテンションを付与した状態にし、紙帯３を紙幣束Ｔのほぼ全周に巻き付け、切断された紙帯３の後尾部を紙幣束Ｔの下面に折り曲げられた折返し部３ａの外側に重ね合わせ、その重なり部を接着して紙幣束Ｔを紙帯３で結束する。
【００６７】
紙幣束Ｔの結束後に、図５(ｃ)に示すように、第２の紙帯曲折爪１３を移動機構によって搬入方向上流側へ退避させ、クランパ４を原位置へ上昇させて押圧部６による押圧を解除すると共に、昇降機構４１によって可動支持板３８を固定支持板３９と面一になる位置まで上昇させる。
【００６８】
このとき、紙幣束Ｔは、その復元力によって紙幣束ＴがＺ字状に曲折した状態から結束位置に搬入されたときの元の状態に戻ろうとするが、復元力が弱い紙幣束Ｔの場合は、戻りきれない場合がある。
【００６９】
この場合に、本実施例の可動支持板３８は、固定支持板３９と面一になる位置まで上昇するので、紙幣束Ｔの前端部を上方に押し戻すことができ、紙幣束Ｔの復元力が弱い場合であっても、その把姿が元の状態まで復元する。
【００７０】
そして、押印機構１１の印部１１ａを原位置にあるクランパ４の下面から突出させて、一対の搬送ベルト２に挟持され、可動支持板３８と固定支持板３９とを面一にした支持板３７上に載置された状態で結束位置に停止している、結束後の紙幣束Ｔの紙帯３上の所定の部位に所定事項を押印して小束を形成し、その小束を放出方向に搬送して紙幣整理装置２１の放出口３１から外部へ放出する。
【００７１】
このようにして、本実施例の紙幣施封部３０による紙幣束Ｔの結束動作が行われる。
【００７２】
上記のように本実施例の結束動作においては、クランパ４による押圧を解除して原位置へ上昇させるときに、支持板３７の可動支持板３８を固定支持板３９と面一になる位置まで上昇させるので、復元力が弱い紙幣束Ｔの場合においても、紙幣束Ｔの復元力のみによらず、可動支持板３８によって紙幣束Ｔの前端部を上方に押し戻す、押戻し力を付与することができ、歪みのない把姿の小束を形成することができる。
【００７３】
また、結束後の紙帯３に押印機構１１により所定事項を押印するときに、可動支持板３８を固定支持板３９と面一になる位置まで上昇させた平坦な状態の支持板３７上で押印するので、押印時の印影に欠損が生ずることを防止することができる。
【００７４】
更に、支持板３７の可動支持板３８の紙帯３の幅方向の両側に弾性部材４０によって固定支持板３９ａ、３９ｂを接続してあるので、結束後の紙幣束Ｔを放出方向に搬送するときに、固定支持板３９と面一にした可動支持板３８の上面で、紙帯３の接着部に生じる折返し部３ａによる外側への膨らみを、紙帯束Ｔの自重で押し潰しながら搬送することができ、紙帯３の接着部に生じる外側への膨らみを軽度なものにすることができる。
【００７５】
以上説明したように、本実施例では、支持板を、固定支持板とクランパの押圧部と対向する位置に昇降可能に構成された可動支持板とで構成し、下降させた可動支持板上の紙幣束Ｔの前端部をクランパの押圧部で押圧した状態で紙幣束Ｔを結束機構で紙帯により結束し、紙幣束Ｔの結束後の押圧部による押圧の解除時に、可動支持板を固定支持板と面一になる位置まで上昇させるようにしたことによって、復元力が弱い紙幣束Ｔの場合においても、紙幣束Ｔの復元力に加えて、紙幣束Ｔの前端部に可動支持板による上方への押戻し力を付与することができ、歪みのない把姿の小束を形成することができると同時に、結束後の紙帯への押印時における印影の欠損の防止や、紙帯の接着部に生じる外側への膨らみの抑制を行うことができ、小束の見栄え品質を向上させることができると共に、紙幣束Ｔの結束作業における作業効率を向上させることができる。
【実施例２】
【００７６】
以下に、図６ないし図８を用いて本実施例の紙幣施封部について説明する。なお、上記した一般的な紙幣施封部および実施例１と同様の部分は、同一の符号を付してその説明を省略する。
【００７７】
本実施例の可動支持板３８は、図６、図７に示すように、その下面の中心部が、昇降機構４１の昇降シャフト４１ａの先端に取付けられた支持ピン５１に回動可能に支持されている。
【００７８】
また、昇降シャフト４１ａの先端部には、搬入方向の下流側に延在する回り止め５２が設けられており、可動支持板３８の搬入方向下流側への回動（図６において反時計方向へ回動することをいう。）を係止している。
【００７９】
これにより、本実施例の可動支持板３８は、可動支持板３８を下降させたときは、図６に２点鎖線で示すように、可動支持板３８の下流側が回り止め５２に係止された状態で、可動支持板３８、弾性部材４０、固定支持板３９の各上面が、クランパ４の押圧部６と底面５とで形成されるＺ字状に曲折した形状に倣う形状に曲折され、上昇させたときは、図６に示すように、その下面が回り止め５２に係止された状態で、その上面が固定支持板３９の上面と面一になる第１の上昇位置まで上昇し、更に昇降シャフト４１ａを上昇させると、可動支持板３８が弾性部材４０に引っ張られ、回り止め５２による係止が解除されて搬入方向上流側へ回動（図６において時計方向へ回動することをいう。）し、その下流側の端面（前端という。）を固定支持板３９よりクランパ４側に持上げることが可能なようになっている（図８（ｃ）参照）。
【００８０】
上記の構成を備えた本実施例の紙幣施封部３０の結束動作について、図８を用いて説明する。なお、本実施例における小束形成機構１への紙幣束Ｔの搬入（上記実施例１の図４（ａ））から第２の紙帯曲折爪１３による紙帯３の紙幣束Ｔの下面に沿っての折り曲げ（上記実施例１の図５（ａ））までの結束動作は、上記実施例１と同様であるので、その説明を省略する。
【００８１】
紙帯３を紙幣束Ｔの下面に沿って折り曲げた後に、図８(ａ)に示すように、上記実施例１（図５(ｂ)参照）と同様にして、紙帯３にテンションを付与した状態にし、紙帯３を紙幣束Ｔのほぼ全周に巻き付け、切断された紙帯３の後尾部を紙幣束Ｔの下面に折り曲げられた折返し部３ａの外側に重ね合わせ、その重なり部を接着して紙幣束Ｔを紙帯３で結束する。
【００８２】
この場合に、本実施例の可動支持板３８は、その回動を回り止め５２により係止され、上記実施例１と同様の状態で、クランパ４と支持板３７との間にＺ字状に曲折させた紙幣束Ｔを保持している。
【００８３】
紙幣束Ｔの結束後に、図８(ｂ)に示すように、第２の紙帯曲折爪１３を移動機構によって搬入方向上流側へ退避させ、クランパ４を原位置へ上昇させて押圧部６による押圧を解除すると共に、昇降機構４１によって可動支持板３８を固定支持板３９と面一になる第１の上昇位置まで上昇させ、押印機構１１の印部１１ａを原位置にあるクランパ４の下面から突出させて、一対の搬送ベルト２に挟持され、第１の上昇位置により可動支持板３８と固定支持板３９とを面一にした支持板３７上に載置された状態で結束位置に停止している、結束後の紙幣束Ｔの紙帯３上の所定の部位に所定事項を押印して小束を形成する。
【００８４】
紙帯３への押印後に、昇降機構４１によって可動支持板３８を第２の上昇位置まで更に上昇させ、上昇する可動支持板３８の搬入方向上流側の端部を弾性部材４０により引っ張り、回り止め５２による係止を解除して可動支持板３８を搬入方向上流側へ回動させ、その前端を上方に持上げ、その状態で小束を放出方向に搬送して紙幣整理装置２１の放出口３１から外部へ放出する。
【００８５】
このようにして、本実施例の紙幣施封部３０による紙幣束Ｔの結束動作が行われる。
【００８６】
上記のように本実施例の結束動作においては、紙帯３への押印後に、可動支持板３８を第１の上昇位置から第２の上昇位置へ上昇させて、その前端を上方に持上げた状態で小束を放出方向に搬送するので、紙幣束Ｔが可動支持板３８の持上げられた前端を乗越えるときに、その前端で、紙帯３の接着部に生じる折返し部３ａによる外側への膨らみを押し潰しながら紙帯束Ｔを搬送することができ、紙帯３の接着部に生じる外側への膨らみを更に軽度にすることができる。
【００８７】
なお、本実施例では、可動支持板３８を第１の上昇位置から第２の上昇位置へ上昇させて回動させるとして説明したが、可動支持板３８と昇降シャフト４１ａの先端を固定して、第１の上昇位置から第２の上昇位置へ上昇させたときに可動支持板３８を回動させずに、水平を保ったまま真直ぐにクランパ４側に持上げるようにしてもよい。このようにしても、紙幣束Ｔが可動支持板３８の持上げられた後端を乗越えるときに、その後端で、紙帯３の接着部に生じる折返し部３ａによる外側への膨らみを押し潰しながら紙帯束Ｔを搬送することができる。
【００８８】
以上説明したように、本実施例では、上位実施例１と同様の効果に加えて、結束後の紙幣束Ｔの放出方向への搬送時に、可動支持板の搬入方向の前端を固定支持板よりクランパ側に持上げるようにしたことによって、紙幣束Ｔが可動支持板の持上げられた前端を乗越えるときに、その端部で紙帯の接着部に生じる折返し部３ａによる外側への膨らみを押し潰すことができ、紙帯の接着部に生じる外側への膨らみを更に抑制することができる。
【００８９】
なお、上記各実施例においては、可動支持板と固定支持板とを弾性部材で接続した支持板を用いるとして説明したが、可動支持板と固定支持板とを別体にして弾性部材を省略するようにしてもよい。この場合に実施例２においては、昇降シャフトの先端部にソレノイド等を駆動源とする回動機構を設けるとよい。
【００９０】
また、上記各実施例においては、可動支持板は、２つの固定支持板３９ａ、３９ｂの紙帯の反対側の端面間の長さと同等の幅となるように形成された１枚の板状部材であるとして説明したが、可動支持板を、２つの固定支持板３９ａ、３９ｂと同様に２つに分けて平行に配置し、それぞれの可動支持板を１つの昇降機構によって昇降させるようにしてもよい。このようにしても、復元力の弱い紙幣束Ｔを本発明の紙幣施封部で結束すれば、当該紙幣束Ｔを結束した小束の把姿は、復元力の強い紙幣束Ｔを結束した小束の把姿と同等であるので、当該紙幣束Ｔの紙帯による施封力を復元力の強い紙幣束Ｔの場合と同等にすることができ、紙帯の接着部に生じる外側への膨らみを復元力の強い紙幣束Ｔの場合と同様の品質として、復元力の弱い紙幣束Ｔで形成した小束の見栄え品質を向上させることができると共に、紙幣束Ｔの結束作業における作業効率を向上させることができる。
【符号の説明】
【００９１】
１    小束形成機構
２    搬送ベルト
３    紙帯
３ａ  折返し部
４    クランパ
５    底面
６    押圧部
７、７ａ、７ｂ、３７  支持板
８    前端支持部
９    後端支持部
１１  押印機構
１１ａ  印部
１２  第１の紙帯曲折爪
１３  第２の紙帯曲折爪
１５  把持部
１５ａ、１５ｂ  把持爪
２１  紙幣整理装置
２２  投入部
２３  鑑別部
２４  搬送路
２５  表裏反転部
２６、２６ａ、２６ｂ  オープンポケット
２７  リジェクトポケット
２８  集積機構
２８ａ〜２８ｅ  一時集積部
２９  移送機構
２９ａ  クランプ
３０  紙幣施封部
３１  放出口
３３  放熱ファン
３４  制御部
３８  可動支持板
３９、３９ａ、３９ｂ  固定支持板
４０  弾性部材
４１  昇降機構
４１ａ  昇降シャフト
４３  開放部
５１  支持ピン
５２  回り止め
【図１】
0005418271.tif 000002
【図２】
0005418271.tif 000003
【図３】
0005418271.tif 000004
【図４】
0005418271.tif 000005
【図５】
0005418271.tif 000006
【図６】
0005418271.tif 000007
【図７】
0005418271.tif 000008
【図８】
0005418271.tif 000009
【図９】
0005418271.tif 000010
【図１０】
0005418271.tif 000011
【図１１】
0005418271.tif 000012
【図１２】
0005418271.tif 000013
【図１３】
0005418271.tif 000014